(57)【要約】    【課題】  書画ファイル生成時からセキュリティを図る。原本性および著作権の保護を容易に実施。    【解決手段】  書画ファイル格納メモリＨＤＤ／ＤＳ１；書画に改ざん検出用と改ざん対処用の各データを埋込み、書画ファイルを生成して前記メモリに登録するＡＣＰ：ＤＲＥ／ＰＣ１；ネットワークＬＡＮ，Ｗを介してパソコンＰＣ／ＰＣ１〜３に前記メモリの書画ファイルを送信するＩＭＡＣ／ＤＳ１；および、前記メモリから読み出した書画ファイルの書画に埋め込まれた改ざん検出用および改ざん対処用各データを抽出して、改ざん検出用データを参照して書画の改ざんを検出し、改ざんがあると改ざん対処用データが意味する処理を実行するＰＣ：ＤＵＡ／ＰＣ１〜３；を備える情報管理装置。改ざん検出用データは書画の管理情報、改ざん対処用データは、書画の出所に報知，書画ファイル抹消、又は、書画転送元に報知。  【選択図】  図５
2005236907.tif 000002
【特許請求の範囲】
【請求項１】
書画情報ファイルを格納するメモリ手段；
書画情報に対して改ざん検出用データと改ざん対処用データを埋込み、該書画情報を含む書画情報ファイルを生成して前記メモリ手段に登録する手段；
ネットワークを介して情報処理機器に前記メモリ手段の書画情報ファイルを送信する通信手段；および、
前記メモリ手段から読み出した書画情報ファイルの書画情報に埋め込まれた前記改ざん検出用データおよび改ざん対処用データを抽出して、該改ざん検出用データを参照して該書画情報の改ざんを検出し、改ざんありと検出すると前記改ざん対処用データが意味する処理を実行する改ざん対応手段；
を備える情報管理装置。
【請求項２】
改ざん検出用データは、書画情報に改ざん検出用データと改ざん対処用データを埋込むときの該書画情報の管理データであり；
前記登録する手段は、書画情報の管理データを参照データとして、該書画情報に対して該参照データと改ざん対処用データを埋込み、該書画情報および前記管理データを含む書画情報ファイルを生成して前記メモリ手段に登録し；
前記改ざん対応手段は、前記メモリ手段から読み出した書画情報ファイルの書画情報に埋め込まれた前記参照データおよび改ざん対処用データを抽出して、該書画情報ファイルの管理データを参照データと照合して改ざんを検出し、改ざんありと検出すると前記改ざん対処用データが意味する処理を実行する；
請求項１に記載の情報管理装置。
【請求項３】
書画情報ファイルを格納するメモリ手段、および、該メモリ手段にネットワークから送り込まれる書画情報ファイルを登録し、該メモリ手段の書画情報ファイルをネットワークに送出する通信手段、を含むドキュメントサーバ；
画像面を表す画像データを発生する撮影手段，該撮影手段が生成した画像データに対して改ざん検出用データと改ざん対処用データを埋込み、該画像データを含む書画情報ファイルを生成して前記ネットワークを介して前記ドキュメントサーバに登録する手段、を含む撮像装置；および、
前記ネットワークを介してドキュメントサーバから読み出した書画情報ファイルの書画情報に埋め込まれた前記改ざん検出用データおよび改ざん対処用データを抽出して、該改ざん検出用データを参照して該書画情報の改ざんを検出し、改ざんありと検出すると前記改ざん対処用データが意味する処理を実行するコンピュータ；
を備える情報管理装置。
【請求項４】
前記改ざん対処用データは、改ざんありを通知する連絡先データを含む、請求項１乃至３のいずれか１つに記載の情報管理装置。
【請求項５】
連絡先データは、コンピュータのドメイン名である、請求項４に記載の情報管理装置。
【請求項６】
前記改ざん対処用データは、前記メモリ手段の該当書画情報ファイルの抹消指示の送信を指示するものを含む、請求項１乃至５のいずれか１つに記載の情報管理装置。
【発明の詳細な説明】
【技術分野】
【０００１】
本発明は、ネットワークを介して書画情報を送給する情報管理装置に関し、例えば、ドキュメントサーバからコンピュータに書画情報ファイルを配布するサーバシステムや、ドキュメントサーバ機能がある、電子カメラ又は画像スキャナ等の撮像装置，プリンタ，ファクシミリもしくは複写機から、コンピュータに、画像ファイルを配布する画像処理システムに用いることができる。
【背景技術】
【０００２】
【特許文献１】特開２０００−１２４８６６号公報
【特許文献２】特開２００２−２２９８３５号公報
【特許文献３】特開２００３−１７７９６７号公報
【特許文献４】特開２００３−２６４６８５号公報
【特許文献５】特開平８−２４１４０３号公報
【特許文献６】特許第３２６９４４２号明細書
【特許文献７】特開２００３−１１５９８９号公報
【特許文献８】特開２００３−１８９０８５号公報。
【０００３】
ドキュメントサーバ機能がある機器又はデバイスに、ネットワークを介してコンピュータ例えばパソコンでアクセスして書画情報ファイルを入手して利用するドキュメント利用システムでは、サーバの書画情報に対する改ざんが問題になることがある。特許文献１は、ホストから受信装置に、音声，静止画，文字，音楽等のコンテンツを、電子透かし錠を付加して衛星通信によって配信するとともに、ホストから受信装置にＩＳＤＮ回線を介して透かし錠解除キーを送信する情報配信システムを記載している。特許文献２は、ファイルが更新される毎に秘密情報に基づいて改ざん検知情報を作成するファイル管理システムを記載している。特許文献３は、配信するオブジェクトにアクセス権の変遷の履歴を、改ざん検知が可能なアクセス制御履歴データとして記録する電子文書管理システムを記載している。特許文献４は、文書画像から画像特徴情報を抽出してこれを元画像特徴情報として文書画像に埋め込み、そして文書画像を印刷する。印刷した文書画像を読み取る場合には、読み取り情報から画像特徴情報を抽出するとともに埋め込まれた元画像特徴情報を抽出して両画像特徴情報を比較して、相違すれば改ざんありと判定する、文書画像改ざん判定を記載している。
【０００４】
改ざん又は複製判定用の情報を書画情報に付加する一手段として、電子すかしが用いられることがある。例えば、特許文献５は、画像に著作権保護のためにすかしを埋め込み、すかしを埋込んだ画像から透かしを除去して明瞭な原画像を再生するすかし処理方法およびそれを実施する複写装置を記載している。特許文献６には、電子すかしの埋め込み処理および抽出処理が記載され、かつ、電子すかしが埋込まれた画像データを記録媒体から読み出して転送するときには異なる画像データを転送する、画像データの不正流用防止システムが記載されている。特許文献７は、入力される保護対象の画像情報から認証コードを生成し、該画像情報のうち重要領域以外の部分に認証コードを埋込む、電子すかし埋め込み装置を記載している。特許文献８は、すかし処理対象の日本語文書画像から文字認識により所定の文字を抽出して該文字に、電子すかし埋込み処理を施す電子すかし装置を記載している。
【発明の開示】
【発明が解決しようとする課題】
【０００５】
ドキュメントサーバ機能がある機器又はデバイスに、ネットワークを介してコンピュータ例えばパソコンでアクセスして情報ファイルを入手して利用するドキュメント利用システム，ファイル管理システムあるいは情報配信システムには、システムの運用中のドキュメントのセキュリティを確保しようとする対策が施されており、上述の特許文献にも開示があるように、セキュリティ確保の一手段に、改ざん検出あるいは改ざん防止が採用される。しかしながら、ファイル作成時からファイル管理システムで運用するまでの間には、ファイルのセキュリティが確保されていない。例えば、書画情報が改ざんされてサーバに登録されることも考えられる。サーバ登録用の書画情報を生成してから、サーバに登録するまでに複数人が介在する場合もある。したがって書画情報生成時点からのセキュリティの確保が望まれる。
【０００６】
本発明は、書画情報ファイル生成時点から書画情報のセキュリティを図ることを第１の目的とし、書画情報の原本性および著作権の保護を容易に実施することを第２の目的とする。
【課題を解決するための手段】
【０００７】
（１）書画情報ファイルを格納するメモリ手段（ＨＤＤ／ＤＳ１）；
書画情報に対して改ざん検出用データと改ざん対処用データを埋込み、該書画情報を含む書画情報ファイルを生成して前記メモリ手段に登録する手段（ＡＣＰ：ＤＲＥ／ＰＣ１）；
ネットワーク（ＬＡＮ，Ｗ）を介して情報処理機器（ＰＣ／ＰＣ１〜３）に前記メモリ手段（ＨＤＤ）の書画情報ファイルを送信する通信手段（ＩＭＡＣ／ＤＳ１）；および、
前記メモリ手段から読み出した書画情報ファイルの書画情報に埋め込まれた前記改ざん検出用データおよび改ざん対処用データを抽出して、該改ざん検出用データを参照して該書画情報の改ざんを検出し、改ざんありと検出すると前記改ざん対処用データが意味する処理を実行する改ざん対応手段（ＰＣ：ＤＵＡ／ＰＣ１〜３）；
を備える情報管理装置。
なお、理解を容易にするためにカッコ内には、図面に示し後述する実施例の対応要素又は対応事項の記号を、例示として参考までに付記した。以下も同様である。
【発明の効果】
【０００８】
これによれば、書画情報ファイルを生成するときに書画情報に対して改ざん検出用データと改ざん対処用データが埋め込まれる。該書画情報ファイルの、前記メモリ手段への登録の前後に、書画情報ファイルに改ざんがあると、改ざん対応手段（ＰＣ：ＤＵＡ／ＰＣ１〜３）によって、改ざんが検出されそして、改ざん対処用データが意味する処理を実行する。この処理によって書画情報のセキュリティを図ることができる。
【発明を実施するための最良の形態】
【０００９】
（２）改ざん検出用データは、書画情報に改ざん検出用データと改ざん対処用データを埋込むときの該書画情報の管理データであり；
前記登録する手段（ＡＣＰ：ＤＲＥ）は、書画情報の管理データを参照データとして、該書画情報に対して該参照データと改ざん対処用データを埋込み、該書画情報および前記管理データを含む書画情報ファイルを生成して前記メモリ手段（ＨＤＤ）に登録し；
前記改ざん対応手段（ＰＣ：ＤＵＡ）は、前記メモリ手段（ＨＤＤ）から読み出した書画情報ファイルの書画情報に埋め込まれた前記参照データおよび改ざん対処用データを抽出して、該書画情報ファイルの管理データを参照データと照合して改ざんを検出し、改ざんありと検出すると前記改ざん対処用データが意味する処理を実行する；
上記（１）に記載の情報管理装置。
【００１０】
これによれば、改ざんがあると、書画情報ファイルの管理情報が参照データと相違するので、改ざん対応手段（ＰＣ：ＤＵＡ／ＰＣ１〜３）が改ざんありと検出して、改ざん対処用データが意味する処理を実行する。この処理によって書画情報のセキュリティを図ることができる。
【００１１】
（３）書画情報ファイルを格納するメモリ手段、および、該メモリ手段にネットワーク（ＬＡＮ，Ｗ）から送り込まれる書画情報ファイルを登録し、該メモリ手段の書画情報ファイルをネットワーク（ＬＡＮ，Ｗ）に送出する通信手段、を含むドキュメントサーバ（ＤＳ１）；
画像面を表す画像データを発生する撮影手段（１０），該撮影手段が生成した画像データに対して改ざん検出用データと改ざん対処用データを埋込み、該画像データを含む書画情報ファイルを生成して前記ネットワーク（ＬＡＮ，Ｗ）を介して前記ドキュメントサーバ（ＤＳ１）に登録する手段（ＡＣＰ：ＤＲＥ）、を含む撮像装置（Ｃ１）；および、
前記ネットワーク（ＬＡＮ，Ｗ）を介してドキュメントサーバ（ＤＳ１）から読み出した書画情報ファイルの書画情報に埋め込まれた前記改ざん検出用データおよび改ざん対処用データを抽出して、該改ざん検出用データを参照して該書画情報の改ざんを検出し、改ざんありと検出すると前記改ざん対処用データが意味する処理を実行するコンピュータ（ＰＣ１〜３）；
を備える情報管理装置（図８〜１０）。
【００１２】
これによれば、撮像装置（Ｃ１）が、撮影手段（１０）が発生する画像データの書画情報ファイルを生成するときに画像データに対して改ざん検出用データと改ざん対処用データを埋め込む。該書画情報ファイルの、前記ドキュメントサーバ（ＤＳ１）への登録の前後に、書画情報ファイルに改ざんがあると、コンピュータ（ＰＣ：ＤＵＡ／ＰＣ１〜３）が改ざんを検出して、改ざん対処用データが意味する処理を実行する。この処理によって書画情報のセキュリティを図ることができる。
【００１３】
（４）前記改ざん対処用データは、改ざんの存在を通知する連絡先データを含む、上記（１）乃至（３）のいずれか１つに記載の情報管理装置。これによれば、改ざんが検出されると、該連絡先データが表わすところに改ざんの存在が通知される。
【００１４】
（５）連絡先データは、コンピュータのドメイン名である、上記（４）に記載の情報管理装置。これによれば改ざんが検出されると、該ドメイン名のコンピュータに改ざんの存在が通知される。該コンピュータのユーザは、前記メモリ手段の該当の書画情報ファイルを削除する、登録初期のものに復元するもしくはそれを管理者に要求する、等の処置を取ることができる。
【００１５】
（６）前記改ざん対処用データは、前記メモリ手段の該当書画情報ファイルの抹消指示の送信を指示するものを含む、上記（１）乃至（５）のいずれか１つに記載の情報管理装置。これによれば、改ざん検出に応じて該当の書画情報ファイルがメモリ手段から消去され、改ざんがある書画情報が配信されることがなくなる。
【００１６】
（７）書画情報ファイルを格納するメモリ手段（ＨＤＤ），書画情報の管理データを参照データとして、該書画情報に対して該参照データと改ざん対処用データを埋込み、該書画情報および前記管理データを含む書画情報ファイルを生成して前記メモリ手段（ＨＤＤ）に登録する手段（ＡＣＰ：ＤＲＥ），ネットワーク（ＬＡＮ，Ｗ）を介して情報処理機器（ＰＣ）に前記メモリ手段（ＨＤＤ）の書画情報ファイルを送信する通信手段（ＩＭＡＣ）、および、前記メモリ手段に格納した書画情報を印刷するプリンタ（１００）、を備える画像形成装置（Ａ１）；および、
前記ネットワーク（ＬＡＮ，Ｗ）を介して前記メモリ手段（ＨＤＤ）から読み出した書画情報ファイルの書画情報に埋め込まれた前記参照データおよび改ざん対処用データを抽出して、該書画情報ファイルの管理データを参照データと照合して改ざんを検出し、改ざんありと検出すると前記改ざん対処用データが意味する処理を実行するコンピュータ（ＰＣ：ＤＵＡ／ＰＣ１〜３）；
を備える情報管理装置。
【００１７】
（８）画像ファイルを格納するメモリ手段（ＨＤＤ），画像面を表す画像データを発生する撮影手段（１０），該撮影手段が生成した画像データの管理データを参照データとして、該画像データに対して該参照データと改ざん対処用データを埋込み、該画像データおよび前記管理データを含む画像ファイルを生成して前記メモリ手段（ＨＤＤ）に登録する手段（ＡＣＰ：ＤＲＥ）、および、ネットワーク（ＬＡＮ，Ｗ）を介して情報処理機器（ＰＣ／ＰＣ１〜３）に前記メモリ手段（ＨＤＤ）の画像ファイルを送信する通信手段（ＩＭＡＣ）、を備える撮像装置（Ａ１／Ｃ１）；および、
前記ネットワーク（ＬＡＮ，Ｗ）を介して前記メモリ手段（ＨＤＤ）から読み出した画像ファイルの画像データに埋め込まれた前記参照データおよび改ざん対処用データを抽出して、該画像ファイルの管理データを参照データと照合して改ざんを検出し、改ざんありと検出すると前記改ざん対処用データが意味する処理を実行するコンピュータ（ＰＣ：ＤＵＡ／ＰＣ１〜３）；
を備える情報管理装置。
【００１８】
（９）さらに、前記メモリ手段に格納した書画情報を印刷するプリンタ（１００）、を備える上記（８）に記載の情報管理装置。
【００１９】
本発明の他の目的および特徴は、図面を参照した以下の実施例の説明より明らかになろう。
【実施例１】
【００２０】
図１に、本発明の第１実施例の情報管理装置の構成員である複合機能フルカラーデジタル複写機Ａ１の外観を示す。図１に示すフルカラー複写機Ａ１は、大略で、自動原稿送り装置（ＡＤＦ）３０と、操作ボード２０と、カラースキャナ１０と、カラープリンタ１００と、給紙バンク３５の各ユニットで構成されている。ステープラ及び作像された用紙を積載可能なトレイ付きのフィニッシャ３４と、両面ドライブユニット３３と、大容量給紙トレイ３６は、プリンタ１００に装着されている。
【００２１】
機内の画像データ処理装置ＡＣＰ（図２）には、パソコンＰＣが接続したＬＡＮ（Local Area Network）が接続されており、パソコンＰＣおよび画像データ処理装置ＡＣＰは、ルータを介してインターネット等の広域通信網Ｗに接続することができる。ファクシミリコントロールユニットＦＣＵ（図２）には、電話回線ＰＮ（ファクシミリ通信回線）に接続された交換器ＰＢＸが接続されている。カラープリンタ１００のプリント済の用紙は、排紙トレイ１０８上またはフィニッシャ３４に排出される。
【００２２】
カラープリンタ１００は、レーザプリンタである。このレーザプリンタ１００は、マゼンダ（Ｍ），シアン（Ｃ），イエロー（Ｙ）および黒（ブラック：Ｋ）の各色の画像を形成するための４組のトナー像形成ユニットが、転写紙の移動方向に沿ってこの順に配置されている。即ち、４連ドラム方式のフルカラー画像形成装置である。これらマゼンダ（Ｍ），シアン（Ｃ），イエロー（Ｙ）および黒（Ｋ）のトナー像形成ユニットのほか、レーザ走査によるレーザ露光ユニット、給紙カセット、レジストローラ対、転写紙を担持して各トナー像形成部の転写位置を通過するように搬送する転写搬送ベルトを有する転写ベルトユニット、ベルト定着方式の定着ユニット、排紙トレイ，両面ドライブ（面反転）ユニット等を備えている。また、レーザプリンタ１００は、図示していない手差しトレイ、トナー補給容器、廃トナーボトル、なども備えている。
【００２３】
フィニッシャ３４は、スタッカトレイすなわち積載降下トレイ３４ｈｓおよびソートトレイ群３４ｓｔを持ち、積載降下トレイ３４ｈｓに用紙（プリント済紙，転写済紙）を排出するスタッカ排紙モードと、ソートトレイ群３４ｓｔに排紙するソータ排紙モードを持つ。
【００２４】
プリンタ１００からフィニッシャ３４に送り込まれた用紙は、左上方向に搬送されそして上下逆Ｕ字型の搬送路を経て、下向きに搬送方向を切換えてから、設定されているモードに応じて、スタッカ排紙モードのときには排出口から積載降下トレイ３４ｈｓに排出される。ソータ排紙モードのときには、ソータトレイ群３４ｓｔの、そのとき排出中の用紙が割り当てられたソータトレイに排出される。
【００２５】
ソータ排紙モードが指定されるとフィニッシャ内排紙コントローラは、最下部の重ね待避位置に置いたソートトレイ群３４ｓｔを、図１上で２点鎖線で示す使用位置に上駆動し、ソータトレイ間の間隔を広げる。ソータ排紙モードでは、１回（一人）の設定枚数の複写又はプリントは、部ソートにソータ排紙モードが設定されているときには、同一原稿（画像）をプリントした各転写紙をソートトレイ群３４ｓｔの各トレイに仕分け収納する。頁ソートにソータ排紙モードが設定されているときには、各トレイを各頁（画像）に割り当てて、同一頁をプリントした各転写紙を１つのソートトレイに積載する。
【００２６】
図２に、本発明の第１実施例の情報管理装置の構成概要と、その１構成員である図１に示す複写機Ａ１の画像処理系統の構成を示す。複写機Ａ１の読取ユニット１１と画像データ出力Ｉ／Ｆ(Interface：インターフェイス）１２でなるカラー原稿スキャナ１２が、画像データ処理装置ＡＣＰの画像データインターフェース制御ＣＤＩＣ（以下単にＣＤＩＣと表記）に接続されている。画像データ処理装置ＡＣＰにはまた、カラープリンタ１００が接続されている。カラープリンタ１００は、画像データ処理装置ＡＣＰの画像データ処理器ＩＰＰ(Image Processing Processor；以下では単にＩＰＰと記述）から、書込みＩ／Ｆ１３４に記録画像データを受けて、作像ユニット１３５でプリントアウトする。
【００２７】
画像データ処理装置ＡＣＰ（以下では単にＡＣＰと記述）は、パラレルバスＰｂ，メモリアクセス制御ＩＭＡＣ（以下では単にＩＭＡＣと記述），画像メモリであるメモリモジュール（以下では単にＭＥＭと記述），不揮発メモリであるハードディスク装置ＨＤＤ（以下では単にＨＤＤと記述），システムコントローラ１，ＲＡＭ４，不揮発メモリ５，フォントＲＯＭ６，ＣＤＩＣ，ＩＰＰ等、を備える。パラレルバスＰｂには、ファクシミリ制御ユニットＦＣＵ（以下単にＦＣＵと記述）を接続している。操作ボード２０はシステムコントローラ１に接続している。
【００２８】
カラー原稿スキャナ１０の、原稿を光学的に読み取る読取ユニット１１は、原稿に対するランプ照射の反射光を、センサボードユニットＳＢＵ（以下では単にＳＢＵと表記）上の、ＣＣＤ２０７（図２）で光電変換してＲ，Ｇ，Ｂ画像信号を生成し、Ａ／ＤコンバータでＲＧＢ画像データに変換し、そしてシェーディング補正して、出力Ｉ／Ｆ１２を介してＣＤＩＣに送出する。ＲＧＢ画像データは、３ビット以上の構成の多階調を表す多値画像データ（例えば８ビット構成）である。
【００２９】
ＣＤＩＣは、画像データに関し、原稿スキャナ１０（出力Ｉ／Ｆ１２），パラレルバスＰｂ，ＩＰＰ間のデータ転送、ならびに、プロセスコントローラ１３１とＡＣＰの全体制御を司るシステムコントローラ１との間の通信をおこなう。また、ＲＡＭ１３２はプロセスコントローラ１３１のワークエリアとして使用され、ＲＯＭ１３３はプロセスコントローラ１３１の動作プログラム等を記憶している。
【００３０】
メモリアクセス制御ＩＭＡＣ（以下では単にＩＭＡＣと記述）は、ＭＥＭおよびＨＤＤに対する画像データおよび制御データの書き込み／読み出しを制御する。システムコントローラ１は、パラレルバスＰｂに接続される各構成部の動作を制御する。また、ＲＡＭ４はシステムコントローラ１のワークエリアとして使用され、不揮発メモリ５はシステムコントローラ１の動作プログラム，複写機使用者のパスワード等を記憶している。
【００３１】
操作ボード２０は、ＡＣＰが行うべき処理を指示する。たとえば、処理の種類（複写、ファクシミリ送信、画像読込、プリント等）および処理の枚数等を入力する。これにより、画像データ制御情報の入力をおこなうことができる。
【００３２】
スキャナ１０の読取ユニット１１より読み取った画像データは、スキャナ１０のＳＢＵでシェーディング補正を施してから、ＩＰＰで、地肌除去，スキャナガンマ補正，フィルタ処理などの、読取り歪を補正する画像処理を施してから、ＭＥＭ又はＨＤＤに蓄積する。ＭＥＭ又はＨＤＤの画像データをプリントアウトするときには、ＩＰＰにおいてＲＧＢ信号をＹＭＣＫ信号に色変換し、プリンタガンマ変換，階調変換，および、ディザ処理もしくは誤差拡散処理などの階調処理などの画質処理をおこなう。画質処理後の画像データはＩＰＰから書込みＩ／Ｆ１３４に転送される。書込みＩ／Ｆ１３４は、階調処理された信号に対し、パルス幅とパワー変調によりレーザー制御をおこなう。その後、画像データは作像ユニット１３５へ送られ、作像ユニット１３５が転写紙上に再生画像を形成する。
【００３３】
ＩＭＡＣは、システムコントローラ１の制御に基づいて、画像データとＭＥＭ又はＨＤＤのアクセス制御，ＬＡＮ上に接続したパソコンＰＣ（以下では単にＰＣと表記）のプリント用データの展開，ＭＥＭおよびＨＤＤの有効活用のための画像データの圧縮／伸張をおこなう。
【００３４】
ＩＭＡＣへ送られた画像データは、データ圧縮後、ＭＥＭ又はＨＤＤに蓄積され、蓄積された画像データは必要に応じて読み出される。読み出された画像データは、伸張され、本来の画像データに戻しＩＭＡＣからパラレルバスＰｂを経由してＣＤＩＣへ戻される。ＣＤＩＣからＩＰＰへの転送後は画質処理をして書込みＩ／Ｆ１３４に出力し、作像ユニット１３５において転写紙上に再生画像を形成する。
【００３５】
画像データの流れにおいて、パラレルバスＰｂおよびＣＤＩＣでのバス制御により、デジタル複合機の機能を実現する。ファクシミリ送信は、読取られた画像データをＩＰＰにて画像処理を実施し、ＣＤＩＣおよびパラレルバスＰｂを経由してＦＣＵへ転送することによりおこなわれる。ＦＣＵは、通信網へのデータ変換をおこない、それを公衆回線ＰＮへファクシミリデータとして送信する。ファクシミリ受信は、公衆回線ＰＮからの回線データをＦＣＵにて画像データへ変換し、パラレルバスＰｂおよびＣＤＩＣを経由してＩＰＰへ転送することによりおこなわれる。この場合、特別な画質処理はおこなわず、書込みＩ／Ｆ１３４から出力し、作像ユニット１３５において転写紙上に再生画像を形成する。
【００３６】
複数ジョブ、たとえば、コピー機能，ファクシミリ送受信機能，プリンタ出力機能が並行に動作する状況において、読取ユニット１１，作像ユニット１３５およびパラレルバスＰｂの使用権のジョブへの割り振りは、システムコントローラ１およびプロセスコントローラ１３１において制御する。プロセスコントローラ１３１は画像データの流れを制御し、システムコントローラ１はシステム全体を制御し、各リソースの起動を管理する。また、デジタル複合機の機能選択は、操作ボード２０においておこなわれ、操作ボード２０の選択入力によって、コピー機能，ファクシミリ機能等の処理内容を設定する。
【００３７】
システムコントローラ１とプロセスコントローラ１３１は、パラレルバスＰｂ，ＣＤＩＣおよびシリアルバスＳｂを介して相互に通信をおこなう。具体的には、ＣＤＩＣ内においてパラレルバスＰｂとシリアルバスＳｂとのデータ，インターフェースのためのデータフォーマット変換をおこなうことにより、システムコントローラ１とプロセスコントローラ１３１間の通信を行う。
【００３８】
各種バスインターフェース、たとえばパラレルバスＩ／Ｆ  ７、シリアルバスＩ／Ｆ  ９、ローカルバスＩ／Ｆ  ３およびネットワークＩ／Ｆ  ８は、ＩＭＡＣに接続されている。コントローラーユニット１は、ＡＣＰ全体の中での独立性を保つために、複数種類のバス経由で関連ユニットと接続する。
【００３９】
システムコントローラ１は、パラレルバスＰｂを介して他の機能ユニットの制御をおこなう。また、パラレルバスＰｂは画像データの転送に供される。システムコントローラ１は、ＩＭＡＣに対して、画像データをＭＥＭ，ＨＤＤに蓄積，登録させるための動作制御指令を発する。この動作制御指令は、ＩＭＡＣ，パラレルバスＩ／Ｆ  ７、パラレルバスＰｂを経由して送られる。
【００４０】
この動作制御指令に応答して、画像データはＣＤＩＣからパラレルバスＰｂおよびパラレルバスＩ／Ｆ  ７を介してＩＭＡＣに送られる。そして、画像データはＩＭＡＣの制御によりＭＥＭ又はＨＤＤに格納されることになる。
【００４１】
なお、ＬＡＮに接続された複写機Ａ１および各ＰＣには、共通のドメイン名がありそれにグローバルＩＰアドレスが割り当てられている。ＬＡＮに接続された複写機Ａ１および各ＰＣには個別に個体名がありそれにプライベートＩＰアドレスが割り当てられており、ＬＡＮ内で相互に書画情報ファイルを送受信できるとともに、広域通信網Ｗに接続されたサーバおよびパソコンとも書画情報ファイルを送受信できる。
【００４２】
一方、ＡＣＰのシステムコントローラ１は、ＰＣからのプリンタ機能又はドキュメントサーバ機能としての呼び出しの場合、ネットワーク制御およびシリアルバス制御として機能する。ネットワークＢ経由の場合、ＩＭＡＣはネットワークＩ／Ｆ  ８を介して、ネットワークＢ経由のプリント出力要求データ又は蓄積，登録要求データを受け取る。ネットワークＢ経由の書画情報ファイル要求データ（外来コマンド）はシステムコントローラ１に報知し、それに応答するシステムコントローラ１からのコマンドに従って、ＩＭＡＣは、ネットワークＢ経由の蓄積，登録データ（書画情報ファイル）の転送を行う。
【００４３】
汎用的なシリアルバス接続の場合、ＩＭＡＣはシリアルバスＩ／Ｆ  ９経由でプリント出力要求データを受け取る。汎用のシリアルバスＩ／Ｆ  ９は複数種類の規格に対応しており、たとえばＵＳＢ(Universal Serial Bus)、１２８４または１３９４等の規格のインターフェースに対応する。
【００４４】
ＰＣからのプリント出力要求データはシステムコントローラ１により画像データに展開される。その展開先はＭＥＭ内のエリアである。展開に必要なフォントデータは、ローカルバスＩ／Ｆ  ３およびローカルバスＲｂ経由でフォントＲＯＭ６を参照することにより得られる。ローカルバスＲｂは、このコントローラ１を不揮発メモリ５およびＲＡＭ４と接続する。
【００４５】
シリアルバスＳｂに関しては、ＰＣとの接続のための外部シリアルポート２以外に、ＡＣＰの操作部である操作ボード２０との転送のためのインターフェースもある。これはプリント展開データではなく、ＩＭＡＣ経由でシステムコントローラ１と通信し、処理手順の受け付け、システム状態の表示等をおこなう。
【００４６】
システムコントローラ１と、ＭＥＭ，ＨＤＤおよび各種バスとのデータ送受信は、ＩＭＡＣを経由しておこなわれる。ＭＥＭおよびＨＤＤを使用するジョブはＡＣＰ全体の中で一元管理される。
【００４７】
図３に、ＩＭＡＣの構成の概略を示す。ＩＭＡＣは、アクセス制御１７２，メモリ制御１７３，２次圧縮／伸張モジュール１７６，画像編集モジュール１７７，システムＩ／Ｆ  １７９，ローカルバス制御１８０，パラレルバス制御１７１，シリアルポート制御１７５、シリアルポート１７４およびネットワーク制御１７８を備えている。２次圧縮／伸張モジュール１７６，画像編集モジュール１７７，パラレルバス制御１７１，シリアルポート制御１７５およびネットワーク制御１７８は、それぞれＤＭＡＣ（ダイレクトメモリアクセス制御）を介してアクセス制御１７２に接続されている。
【００４８】
システムＩ／Ｆ  １７９はシステムコントローラ１に対する命令またはデータの送受信をおこなう。基本的に、システムコントローラ１はＡＣＰ全体を制御する。また、システムコントローラ１はＭＥＭ，ＨＤＤの資源配分を管理し、他のユニットの制御は、システムＩ／Ｆ  １７９、パラレルバス制御１７１およびパラレルバスＰｂを介しておこなう。
【００４９】
ＡＣＰの各ユニットは基本的にパラレルバスＰｂに接続されている。したがって、パラレルバス制御１７１は、バス占有の制御をおこなうことによってシステムコントローラ１およびＭＥＭ，ＨＤＤに対するデータの送受信を管理する。
【００５０】
ネットワーク制御１７８は、ＬＡＮ，広域通信網Ｗとの接続を制御する。ネットワーク制御１７８は、ネットワーク（ＬＡＮ，広域通信網Ｗ）に接続された外部拡張機器に対するデータの送受信を管理する。ここで、システムコントローラ１は、ネットワーク上の接続機器の動作管理には関与しないが、ＩＭＡＣにおけるインターフェースについては制御をおこなう。特に限定しないが、本実施例では、１００ＢＡＳＥ−Ｔに対する制御が付加されている。
【００５１】
シリアルバスに接続されるシリアルポート１７４は複数のポートを備えている。シリアルポート制御１７５は、用意されているバスの種類に対応する数のポート制御機構を備えている。特に限定しないが、本実施例では、ＵＳＢおよび１２８４に対するポート制御を行う。また、外部シリアルポートとは別に、操作部とのコマンド受け付けまたは表示に関するデータの送受信の制御を行う。
【００５２】
ローカルバス制御１８０は、システムコントローラ１を起動させるために必要なＲＡＭ４，不揮発メモリ５およびプリンタコードデータを展開するフォントＲＯＭ６が接続されたローカルシリアルバスＲｂとのインターフェースをおこなう。
【００５３】
アクセス制御１７２は、システムＩ／Ｆ  １７９からシステムコントローラ１によるコマンド制御を実施する。メモリ制御１７３はＭＥＭ，ＨＤＤを中心に、外部ユニットからのＭＥＭ，ＨＤＤアクセスを管理する。画像データはＣＤＩＣからパラレルバスＰｂを介してＩＭＡＣに転送される。そして、その画像データはパラレルバス制御１７１においてＩＭＡＣ内に取り込まれる。
【００５４】
取り込まれた画像データのメモリアクセスは、システムコントローラ１の管理から離れる。すなわち、そのメモリアクセスは、システム制御から独立してダイレクトメモリアクセス制御（ＤＭＡＣ）によりおこなわれる。ＭＥＭ，ＨＤＤへのアクセスについて、アクセス制御１７２は複数ユニットからのアクセス要求の調停をおこなう。そして、メモリ制御１７３は、ＭＥＭ，ＨＤＤのアクセス動作またはデータの読み出し／書き込みを制御する。
【００５５】
ネットワークからＭＥＭ，ＨＤＤへアクセスする場合、ネットワークからネットワーク制御１７８を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００５６】
シリアルバスからＭＥＭ，ＨＤＤへアクセスする場合、シリアルポート制御１７５によりシリアルポート１７４を介してＩＭＡＣ内に取り込まれたデータは、ダイレクトメモリアクセス制御ＤＭＡＣによりＭＥＭ，ＨＤＤへ転送される。アクセス制御１７２は、複数ジョブでのＭＥＭ，ＨＤＤへのアクセスの調停をおこなう。メモリ制御１７３は、ＭＥＭ，ＨＤＤに対するデータの読み出し／書き込みをおこなう。
【００５７】
ネットワークまたはシリアルバスに接続されたＰＣからのプリント出力データは、システムコントローラ１により、ローカルバス上のフオントデータを用いて、ＭＥＭ，ＨＤＤ内のメモリエリアに展開される。
【００５８】
各外部ユニットとのインターフェースについては、システムコントローラ１が管理する。ＩＭＡＣ内に取り込まれた後のデータ転送については、図３に示すそれぞれのＤＭＡＣがメモリアクセスを管理する。この場合、各ＤＭＡＣは、お互いに独立してデータ転送を実行するため、アクセス制御１７２は、ＭＥＭ，ＨＤＤへのアクセスに関するジョブの衝突、または各アクセス要求に対する優先付けをおこなう。
【００５９】
ここで、ＭＥＭ，ＨＤＤへのアクセスには、各ＤＭＡＣによるアクセスの他に、格納データのビットマップ展開のためにシステムＩ／Ｆ  １７９を介してシステムコントローラ１からのアクセスも含まれる。アクセス制御１７２において、ＭＥＭ，ＨＤＤへのアクセスが許可されたＤＭＡＣデータ、またはシステムＩ／Ｆ  １７９からのデータは、メモリ制御１７３によりＭＥＭ，ＨＤＤに直接転送される。
【００６０】
ＩＭＡＣは、その内部でのデータ加工に関して２次圧縮／伸張モジュール１７６および画像編集モジュール１７７を有する。２次圧縮／伸張モジュール１７６は、画像データまたはコードデータをＭＥＭ，ＨＤＤへ有効に蓄積できるようにデータの圧縮および伸張をおこなう。２次圧縮／伸張モジュール１７６はＤＭＡＣによりＭＥＭ，ＨＤＤとのインターフェースを制御する。
【００６１】
ＭＥＭ，ＨＤＤに一旦格納された画像データは、ダイレクトメモリアクセス制御ＤＭＡＣによりＭＥＭ，ＨＤＤからメモリ制御１７３、アクセス制御１７２を介して２次圧縮／伸張モジュール１７６に呼び出される。そこでデータ変換された画像データは、ダイレクトメモリアクセス制御ＤＭＡＣにより、ＭＥＭ，ＨＤＤへ戻されるか、外部バスへ出力される。
【００６２】
画像編集モジュール１７７は、ＤＭＡＣによりＭＥＭ，ＨＤＤを制御し、ＭＥＭ，ＨＤＤ内書画のデータ加工をおこなう。具体的には、画像編集モジュール１７７は、メモリ領域のクリアの他に、データ加工として画像データの回転処理，異なる画像同士の合成などをおこなう。画像編集モジュール１７７は、ＭＥＭ，ＨＤＤから２次圧縮データを読出して２次圧縮／伸張モジュール１７６で１次圧縮データに伸張し、モジュール１７７内で、ＣＤＩＣのデータ伸張１６３と同じ復号化ロジックで１次圧縮データを画像データに伸張してモジュール１７７内のメモリに展開し、それを加工する。加工した画像データは、ＣＤＩＣの１次圧縮ロジックと同じ符号化ロジックで１次圧縮して、２次圧縮／伸張モジュール１７６で更に２次圧縮してＭＥＭ，ＨＤＤに書込む。
【００６３】
画像編集モジュール１７７には、すかしデータ埋込み機能１７７ａおよびすかしデータ抽出機能１７７ｂがある。書画情報ファイル（ファイルの内容＝管理情報データ＋書画情報データ）をＨＤＤに登録するとき、画像編集モジュール１７７は、書画情報ファイルに改ざん検出用データとして付加する管理情報データおよび改ざん対処情報データを「すかし」データとしてすかしデータ埋込み機能１７７ａに与え、そして転送する書画画面（例えばＡ４サイズ）の「すかし」埋込み領域の書画情報（画像データ）をすかしデータ埋込み機能１７７ａに与えて、該埋込み機能１７７ａによって該「すかし」埋込み領域に「すかし」データを埋込む。そして書画情報ファイルの画像データの「すかし」埋込み領域を、すかし埋込みをした画像データに置換してから、書画情報ファイルをＨＤＤに登録する。
【００６４】
ＩＭＡＣが、ＨＤＤに登録している書画情報ファイルの改ざん有無をチェツクするときには、画像編集モジュール１７７は、チェツク対象の書画情報ファイル内の画像データの「すかし」埋込み領域の画像データを抽出して、すかしデータ抽出機能１７７ｂを用いてすかしデータ（改ざん検出用データとして付加した管理情報データと改ざん対処情報データ）を抽出し、抽出した改ざん検出用データに、書画情報ファイル（管理情報データ＋書画情報データ）の管理情報データが合致するか照合して、合致しないと改ざん有りと判定する。そして改ざん有りのときには、抽出した改ざん対処情報データを解読して該データが指示する処置を実行する。本実施例では、改ざん検出用データとして付加する管理情報データの内容は、ファイル名，書画情報の種類，Ａ１（ＨＤＤ）における登録ディレクトリ，出所（ユーザＩＤ，デバイスＩＤ），転送元，登録日時および編集履歴である。改ざん対処情報データは、出所デバイスに報知，登録抹消、又は、転送元（パソコン）の管理者(administrator)に報知、の何れかを指示するものである。ＩＭＡＣは、改ざん有りのとき、改ざん対処情報データが「出所デバイスに報知」であると、電子すかしデータ中の管理情報データの中の出所（デバイスＩＤ）に、書画情報ファイルに改ざんがあることを報知する。改ざん対処情報データが「登録抹消」であるとＨＤＤから該当の書画情報ファイルを消去して、書画情報ファイルに改ざんがあったので登録を消去したことを、出所（デバイスＩＤ）に報知する。改ざん対処情報データが「転送元の管理者に報知」であると、電子すかしデータ中の管理情報データの中の転送元に、書画情報ファイルに改ざんがあることを報知する。
【００６５】
図４に示す様に、操作ボード２０には、液晶タッチパネル７９のほかに、テンキー８０ａ，クリア／ストップキー８０ｂ，スタートキー８０ｃ，初期設定キー８０ｄ，モードクリアキー８０ｅ，テスト印刷キー８０ｆがある。テスト印刷キー８０ｆは、設定されている印刷部数に関わらず１部だけを印刷し、印刷結果を確認するためのキーである。初期設定キー８０ｄを押す事で、機械の初期状態を任意にカスタマイズする事が可能である。機械が収納している用紙サイズを設定したり、コピー機能のリセットキーを押したときに設定される状態を任意に設定可能である。初期設定キ−８０ｄが操作されると、各種初期値を設定するための「初期値設定」機能ならびに「パスワード登録」機能，「著作権登録／設定」機能および「使用実績の出力」機能等を指定するための選択ボタンが表示される。また、一定時間操作が無いときに優先して選択されるアプリケーション等も選択する事、国際エネルギースター計画に従った低電力への移行時間の設定や、オートオフ／スリープモードへの移行する時間を設定する事が可能である。
【００６６】
液晶タッチパネル７９には、各種機能キー及び画像形成装置の状態を示すメッセージなどが表示される。液晶タッチパネル７９には、「コピー」機能，「スキャナ」機能，「プリント」機能，「ファクシミリ」機能，「蓄積」機能，「編集」機能，「登録」機能およびその他の機能選択用および実行中を表わす機能選択キー８０ｇが表示される。
【００６７】
なお、「蓄積」機能は、原稿スキャナ１０で読み取った原稿の画像データ，ファクシミリ受信データおよびＰＣからの書画を書画情報ファイルにしてＨＤＤの蓄積領域に記憶する機能である。「登録」機能は、ＨＤＤの登録領域に記憶する機能であり、ＨＤＤの蓄積領域に記憶した書画情報ファイルのうち、多くのユーザが使用する共通性が高い書画や、長期保存したい書画や、特別な管理を設定したい書画をＨＤＤの登録領域に記憶する機能である。
【００６８】
液晶タッチパネル７９には、機能選択キー８０ｇで指定された機能に定まった入出力画面が表示され、例えば「複写」機能が指定されているときには、図４に示すように、機能キー７９ａ，７９ｂならびに部数及び画像形成装置の状態を示すメッセージが表示される。オペレータが液晶タッチパネル７９に表示されたキーにタッチする事で、選択された機能を示すキーが灰色に反転する。また、機能の詳細を指定しなければならない場合（例えばページ印字の種類等）はキーにタッチする事で詳細機能の設定画面が表示される。このように、液晶タッチパネルは、ドット表示器を使用している為、その時の最適な表示をグラフィカルに行う事が可能である。
【００６９】
図５に、図２に示すシステムコントローラ１の、ＨＤＤに書画情報ファイルを登録する過程の処理を示す。原稿スキャナ１０で原稿画像を読み取り、あるいは、ＰＣから書画情報を受信するとき、コントローラ１はまず読み取り画像データあるいは書画情報をＨＤＤに蓄積する（ステップ１）。なお、以下においては、カッコ内にはステップという語を省略してステップＮｏ．のみを記す。次にコントローラ１は「登録」のための入力画面を液晶タッチパネル７９に表示する。
【００７０】
図６に、「登録」のための入力画面を示す。「登録」の入力画面は、ＨＤＤ上の登録先，登録する書画情報ファイルの名称および書画情報の情報形態を入力し、かつ、改ざん対処の形態を１つ選択するようになっている。再度図５を参照すると、ユーザが所定の入力を完了し「登録」キーにタッチすることにより、ＨＤＤに対する書画情報ファイルの登録指示が完了する。これに応答してコントローラ１は、書画情報ファイルのディレクトリをＨＤＤに生成し（２）、該ファイルのヘッダ領域に管理情報データを書き込む（３）。
【００７１】
管理情報データの内容（管理情報項目）は、書画情報ファイル名，ファイルの種類，複写機Ａ１上のディレクトリ，出所，転送元，登録日時および編集履歴である。出所は、スキャナ１０で読み込んだ画像データのファイルである場合は、複写機Ａ１のドメイン名＋個体名（グローバルＩＰアドレス＋プライベートＩＰアドレス）、ＰＣから送られた書画情報の場合はそれに付された出所（ない場合は該ＰＣのドメイン名＋個体名）である。転送元は書画情報を送信してきたデバイス（例えばＰＣ）のドメイン名＋個体名である。編集履歴は、上記管理情報データの内容の中の、編集履歴を除くものの変更およびその日時、並びに、ファイル内書画情報の編集（変更）およびその日時である。
【００７２】
コントローラ１は次に、「改ざん対処」（図６）に選択された項目の、対処情報をＨＤＤから読み出し（４）、管理情報データ＋対処情報データの電子すかしデータを生成して（５）、書画情報に埋め込んで（６）、書画情報ファイルに書込む（７）。
【００７３】
したがって、書画情報ファイルには、同一の管理情報が、管理情報データそのものの形態と、書画情報に埋込まれた電子すかしの形態で、二重に含まれている。
【００７４】
図２に示すパソコンＰＣには、複写機Ａ１を使用するアプリケーション（プログラム）が格納されており、該アプリケーションを起動して操作入力画面から、複写機Ａ１を用いるコピー，複写機Ａ１のスキャナ１０を用いる原稿読み取り（＆ＰＣへの転送又はＡ１のＨＤＤへの蓄積／登録），Ａ１のＨＤＤの蓄積／登録書画の印刷，ＰＣ上画像の印刷，複写機Ａ１を用いるファクシミリ送信／受信印刷，ＰＣ上画像のＡ１への蓄積／登録，Ａ１のＨＤＤの登録済書画情報ファイルの読み込み、および、複写機Ａ１のＨＤＤの書画の編集を指示することができる。大要では、ＰＣのディスプレイに表示される操作入力画面の入出力機能は操作ボード２０と同等であり、操作ボード２０を操作して可能な入出力操作を、ＰＣにおいてもパソコンディスプレイ上で同様に行うことができる。この場合、入力はマウスおよびキーボードで行う。
【００７５】
図７に、パソコンＰＣにロードした、上記複写機Ａ１を使用するアプリケーションの中の、ＨＤＤの書画情報ファイルの読み込み（データ閲覧）である、「ドキュメントアプリケーション」ＤＵＡの処理概要を示す。所要の書画情報ファイルをＡ１からダウンロード（１１）するとＰＣは、図３に示すすかしデータ抽出機能１７７ｂと同一の機能によって、書画情報ファイル内の書画情報に埋込まれている電子すかしデータ（管理情報データ＋対処情報データ）を抽出する（１２）。そして、書画情報ファイルにある管理情報データを、抽出した電子すかしデータの中の管理情報データと合致するかを判定する（１３）。
【００７６】
不一致であると改ざん有りとして、抽出した電子すかしデータの中の対処情報データを解読して、それが指定する処理を行う（１４）。すなわち、改ざん対処情報データが「出所デバイスに報知」であると、電子すかしデータ中の管理情報データの中の出所（デバイスＩＤ）に、書画情報ファイルに改ざんがあることを報知する。改ざん対処情報データが「登録抹消」であるとＨＤＤから該当の書画情報ファイルを消去して、書画情報ファイルに改ざんがあったので登録を消去したことを、出所（デバイスＩＤ）に報知する。改ざん対処情報データが「転送元の管理者に報知」であると、電子すかしデータ中の管理情報データの中の転送元に、書画情報ファイルに改ざんがあることを報知する。
【実施例２】
【００７７】
図８に、本発明の第２実施例の情報管理装置の構成概要を示す。図８に示すネットワークスキャナＣ１は、図２に示す原稿スキャナ１０，操作ボード２０および画像データ処理装置ＡＣＰの組み合わせと同様なものであり、原稿画像読み取り機能、ドキュメントサーバ機能、および、書画情報ファイルをネットワークに対して送受信する機能を有し、図５に示す書画情報ファイル登録機能ＤＲＥを持っている。更に、ネットワークスキャナＣ１のＨＤＤに登録した書画情報ファイルをデータ管理サーバＤＳ１に蓄積する機能も持っており、この機能によって、管理情報データおよび対処情報データをすかしデータとして書画情報に埋込んだ書画情報ファイルが、データ管理サーバＤＳ１に蓄積される。ネットワークスキャナＣ１は、ドキュメントサーバ機能も持っているが、この第２実施例では、小規模ネットワーク（ＬＡＮ）内でのドキュメントサーバに位置付けられている。図８に示す広域システム全体に対するサーバは、データ管理サーバＤＳ１である。
【００７８】
広域通信網Ｗに接続され、データ管理サーバＤＳ１に対するアクセス（データ閲覧）の許可を得たクライアント・マシンであるパソコンＰＣ１，ＰＣ２は、データ管理サーバＤＳ１より所望の書画情報ファイルを取得する。パソコンＰＣ１，ＰＣ２およびサーバ管理コンピュータであるパソコンＰＣ３には、図７に示し上述した「ドキュメントアプリケーション」ＤＵＡと同様なアプリケーションを含むサーバ利用アプリケーション（プログラム）がロードされており、データ管理サーバＤＳ１より書画情報ファイルを取得すると、前述の電子すかしデータの抽出と改ざん検出を実行する。ただし、ＰＣ１，ＰＣ２は、改ざん対応処置としては、改ざん有りとファイル名および改ざん対処情報データをデータ管理サーバＤＳ１の管理者のパソコンＰＣ３（のドメイン名：グローバルＩＰアドレス）に送信する。そしてパソコンＰＣ３が、改ざん対処情報データに基づく処置を実行する。
【実施例３】
【００７９】
図９に、本発明の第３実施例の情報管理装置の構成概要を示す。図９に示すネットワークスキャナＣ１およびデータ管理サーバＤＳ１は、図８に示すものと同様なものである。この第３実施例では、パソコンＰＣ１，ＰＣ２が、改ざん有りと判定すると、改ざん対処情報データに基づく処置を実行する。すなわち、改ざん対処情報データが「出所デバイスに報知」であると、電子すかしデータ中の管理情報データの中の出所（デバイスＩＤ）に、書画情報ファイルに改ざんがあることを報知する。改ざん対処情報データが「登録抹消」であるとデータ管理サーバＤＳ１の、該当の書画情報ファイルの登録を抹消して、書画情報ファイルに改ざんがあったので登録を消去したことを、出所（デバイスＩＤ）に報知する。改ざん対処情報データが「転送元の管理者に報知」であると、電子すかしデータ中の管理情報データの中の転送元に、書画情報ファイルに改ざんがあることを報知する。
【００８０】
図１０に、第３実施例の一使用態様を示す。例えば、パソコンＰＣ１の管理者(administrator)であるユーザＡは、書画情報をパソコンＰＣ１（転送元）からネットワークスキャナＣ１に転送してスキャナＣ１で、改ざん対処情報データを「転送元に報知」とする電子すかしデータ埋込みの書画情報ファイルを生成してデータ管理サーバＤＳ１に登録（公開）する。登録後に、ユーザＢ（パソコンＰＣ２）に、該書画情報ファイルへのアクセス（データ閲覧）と編集／更新の依頼を行う。ユーザＡはしばらくの後、あるいはユーザＢから編集／更新完了の連絡を受けると、自己のパソコンＰＣ１で該当ファイルにアクセスして読込みを行う。このとき、改ざん有りが自己のパソコンＰＣ１に表示され、編集／更新されたことを確認することができる。このように、本発明は、更新／編集の有無の確認にも利用することができる。
【図面の簡単な説明】
【００８１】
【図１】本発明の第１実施例の情報管理装置の構成員である複合機能フルカラーデジタル複写機Ａ１の外観を示す正面図である。
【図２】図１に示す情報管理装置の画像処理システムの概要を示すブロック図である。
【図３】図２に示す画像メモリアクセス制御ＩＭＡＣの構成の概要を示すブロック図である。
【図４】図１に示す操作ボード２０の一部分の平面図であり、「コピー」操作の入力画面を表示した状態を示す。
【図５】図２に示すシステムコントローラ１の、書画情報ファイルの登録処理の概要を示すフローチャートである。
【図６】図２に示す液晶ディスプレイ７９に表示される、書画情報ファイルの登録のための入力画面を示す平面図である。
【図７】図２に示すパソコンＰＣの、アプリケーションプログラムに従った書画情報ファイルの読込み処理の概要を示すフローチャートである。
【図８】本発明の第２実施例の情報管理装置のシステムブロック図である。
【図９】本発明の第３実施例の情報管理装置のシステムブロック図である。
【図１０】第３実施例の情報管理装置の一使用態様を示すシステムブロック図である。
【符号の説明】
【００８２】
１０：カラー原稿スキャナ  ２０：操作ボード
３０：自動原稿供給装置    ３４：フィニッシャ
３４ｈｓ：積載降下トレイ  ３４ｕｄ：昇降台
３４ｓｔ：ソートトレイ群  
１００：カラープリンタ    ＰＣ：パソコン
ＰＢｘ：交換器            ＰＮ：通信回線
ＡＣＰ：画像データ処理装置
ＣＤＩＣ：画像データインターフェース制御
ＩＭＡＣ：画像メモリアクセス制御
ＩＰＰ：画像データ処理器  ＨＤＤ：ハードディスク装置
【図１】
2005236907.tif 000003
【図２】
2005236907.tif 000004
【図３】
2005236907.tif 000005
【図４】
2005236907.tif 000006
【図５】
2005236907.tif 000007
【図６】
2005236907.tif 000008
【図７】
2005236907.tif 000009
【図８】
2005236907.tif 000010
【図９】
2005236907.tif 000011
【図１０】
2005236907.tif 000012